(57)【要約】【課題】用紙エッジバリの厳しい記録材や、特殊な記録材を通紙された際、さらに比較的高速の定着装置において通紙される場合に生じる用紙エッジスジの異常画像障害を解決する。【解決手段】定着部材と定着部材表面を摺擦する摺擦部材とを備えた定着装置において、摺擦部材は、円筒状または円柱状であって、摺擦部材の周面が、砥粒を含まない金属部材から構成されているとともに、摺擦部材の回転軸を中心とした右回転螺旋溝及び左回螺旋転溝を有し、右回転螺旋溝と左回転螺旋溝とに囲まれた凸状突起が、定着部材表面の表面に面接触される頂面を有して構成され、定着部材表面の軸方向に対して、揺動して摺擦動作を行う。【選択図】図９
2017219674.tif 000002
【特許請求の範囲】
【請求項１】
定着部材と定着部材表面を摺擦する摺擦部材とを備えた定着装置において、
前記摺擦部材は、円筒状または円柱状であって、前記摺擦部材の周面が、砥粒を含まない金属部材から構成されているとともに、前記摺擦部材の回転軸を中心とした右回転螺旋溝及び左回螺旋転溝を有し、前記右回転螺旋溝と前記左回転螺旋溝とに囲まれた凸状突起が、前記定着部材表面の表面に面接触される頂面を有して構成され、前記定着部材表面の軸方向に対して、揺動して摺擦動作を行うことを特徴とした定着装置。
【請求項２】
請求項１に記載の定着装置であって、
前記摺擦部材は、前記通紙領域の中央部に対する外径が前記通紙領域の端部の領域に対する外径よりも小径としたことを特徴とする定着装置。
【請求項３】
請求項１または２に記載の定着装置であって、
前記摺擦部材は、前記定着部材に対して当接し摺擦動作を行う際の該定着部材への食い込み量を調整することが可能であることを特徴とした定着装置。
【請求項４】
請求項３に記載の定着装置であって、
前記摺擦部材の前記定着部材への食い込み量は、用紙の種類および通紙枚数に応じて変更されることを特徴とした定着装置。
【請求項５】
請求項３または４に記載の定着装置であって、
前記摺擦部材の前記定着部材への食い込み量は、用紙の種類および通紙枚数に応じて一度の研磨動作中に数段階に変更されることを特徴とした定着装置。
【請求項６】
請求項１〜５のいずれか１項に記載の定着装置であって、
前記摺擦部材表面を清掃する清掃部材を備えたことを特徴とする定着装置。
【請求項７】
請求項６に記載の定着装置であって、
前記清掃部材は、前記摺擦部材の軸方向に対してスライドし清掃動作を行うことを特徴とする定着装置。
【請求項８】
請求項７に記載の定着装置であって、
前記清掃動作は、前記摺擦部材の稼動時間が閾値を超えた場合に開始することを特徴とした定着装置。
【請求項９】
請求項８に記載の定着装置であって、
前記清掃動作における前記閾値は、前記摺擦部材の寿命時間に基づいて定められていることを特徴とした定着装置。
【請求項１０】
請求項９に記載の定着装置であって、
前記清掃動作における前記閾値は、前記摺擦部材の寿命時間よりも少ない時間に設定されていることを特徴とした定着装置。
【請求項１１】
上記請求項１〜１０に記載の定着装置を備えたことを特徴とする画像形成装置。
【発明の詳細な説明】
【技術分野】
【０００１】
本発明は、電子写真方式の画像形成装置における熱方式の定着装置、及びこの定着装置を備えた複写機、プリンタ、ファクシミリ等の画像形成装置に関する。
【背景技術】
【０００２】
近年、複写機やプリンタのカラー化、高速化、および高画質化が進んでおり、特に、オンディマンド出版物の分野において、比較的手軽で、また小部数への対応が可能であるところから、これまで印刷法で作成してきた出版物をカラー複写機、カラープリンターで作成する傾向が顕著になってきている。複写機、プリンタ、ファクシミリ等の画像形成装置では、像担持体上に画像情報に基づいてトナー像を形成し、該トナー像を紙やＯＨＰシート等の記録材上に転写し、トナー像を担持した記録材を定着装置に通して熱と圧力によりトナー像を記録材上に固定する。
【０００３】
従来から、定着装置部における定着部材表面上を記録材(用紙)が搬送されるとそのエッジ部により定着部材表層に傷が形成される。記録材を大量に通紙された後には、その傷がスジ状になり画像上に光沢スジとなって現れ、異常画像となる。その問題を解決する方法として、定着部材を摺擦、研磨し定着部材上のスジを軽減させるような摺擦部材として、研磨ローラが提案されている（例えば、特許文献１）。
【発明の概要】
【発明が解決しようとする課題】
【０００４】
用紙エッジによる定着部材表面の傷が形成され易いか否かは、用紙の裁断状態によって左右される。エッジ部にバリが立つような裁断をされた場合、そのエッジ部のバリによって定着部材に形成される傷の状態が変わってくる。エッジ部のバリが立っているような用紙(用紙エッジ不利紙)が通紙された場合には傷はひどくなり、エッジ部のバリが小さいような用紙が通紙された場合には傷は不利紙よりレベルが良い。
【０００５】
こういった用紙エッジのバリによる定着部材への傷の形成を防ぐために従来では用紙エッジのバリを取り去るバリ取り装置が提案されている。しかし、その装置によりバリを完全に失くすことは難しく、コストが膨大にかかるといった問題がある。
【０００６】
近年、商業用印刷の分野では、高速化、かつ高画質化が進んでおり、また様々な用紙に対応するため、上記のことが起因して定着ベルト(定着部材)に対する傷が従来よりも形成されやすくなることがある。例えば、透明フィルムのような記録材でかつエッジ部のバリが立っているようなものを通紙された際には、普通紙のような紙を通紙された場合に比べて定着ベルトへの傷の形成が加速する。
【０００７】
また、研磨ローラとして、従来技術として知られているものに、表層が粒子(砥粒)で構成されたローラがある。このようなローラは、摺擦した際に研磨屑が発生し、ローラ表層に目詰まりが発生してしまう。そのため、ローラ自体の寿命が短くなる問題が発生している。その対策として、金属材料により構成される研磨ローラがあるが、このローラにより加熱回転体(定着ベルト等)に一定の押し圧で押しあて、回転駆動させ摺擦すると、定着部材表面軸上に一定間隔でスジ状の摺擦傷がついてしまい画像上にスジ跡が形成されてしまう。さらに、上記研磨ローラでは、従来技術として知られているローラよりも目詰まりの発生は良化するものの完全に目詰まりを解消させることはできなく、寿命を完全に満足させることができない。
【０００８】
上記特許文献１は、加熱回転体に生じるスジを除去しつつ、スジの影響により生じるトナー像の光沢差を抑制することを目的とし、円筒状または円柱状の摺擦部材の周面が、砥粒を含まない金属部材から構成されているとともに、摺擦部材の軸を中心とした右回転螺旋溝及び左回螺旋転溝を有し、右回転螺旋溝及び左回転螺旋溝に囲まれた凸状突起が、定着部材表面の表面に面接触される頂面を有しているが、摺擦部材にて、定着部材表面を摺擦したときに、定着部材表面に一定間隔のピッチで摺擦傷が発生してしまうという問題があった。
【０００９】
本発明は、上記に鑑みてなされたものであって、用紙エッジバリの厳しい記録材や、特殊な記録材を通紙された際、さらに比較的高速の定着装置において通紙される場合に生じる用紙エッジスジの異常画像障害を解決することが可能な定着装置、画像形成装置を提供することを目的とする。また、摺擦する際に発生する研磨屑を低減させ、かつ一定周期での清掃動作を加えることで、摺擦部材の寿命を長寿命化し、摺擦動作により形成されるスジ状の摺擦傷を起因とする異常画像を解決することが可能な定着装置を提供することを目的とする。
【課題を解決するための手段】
【００１０】
上記課題を解決し、目的を達成するために、本発明にかかる定着装置は、定着部材と定着部材表面を摺擦する摺擦部材とを備えた定着装置において、前記摺擦部材は、円筒状または円柱状であって、前記摺擦部材の周面が、砥粒を含まない金属部材から構成されているとともに、前記摺擦部材の回転軸を中心とした右回転螺旋溝及び左回螺旋転溝を有し、前記右回転螺旋溝と前記左回転螺旋溝とに囲まれた凸状突起が、前記定着部材表面の表面に面接触される頂面を有して構成され、前記定着部材表面の軸方向に対して、揺動して摺擦動作を行うことを特徴とした定着装置である。
【発明の効果】
【００１１】
本発明によれば、用紙エッジバリの厳しい記録材や、特殊な記録材を通紙された際、さらに比較的高速の定着装置において通紙される場合に生じる用紙エッジスジの異常画像障害を解決することができる。また、摺擦部材の寿命を長寿命化し、摺擦動作により形成されるスジ状の摺擦傷を起因とする異常画像を解決することができる。
【図面の簡単な説明】
【００１２】
【図１】従来における摺擦ローラと本実施例における摺擦ローラとにおける摺擦能力を比較した様子を示す図である。
【図２】本実施例の摺擦ローラを定着ベルトの軸方向に対して一定時間揺動させながら研磨させた場合の揺動の幅とベルト表面粗さとの関係を示す図である。
【図３】摺擦動作の際に発生するスジ状の摺擦傷レベルと、本実施例の摺擦ローラを定着ベルトの軸方向に対して一定時間揺動させながら研磨させた場合の幅との関係を示す図である。
【図４】本実施例における摺擦ローラが清掃部材を備えた機構を有している場合と、上記機構を有していない場合とにおける摺擦ローラの寿命を比較した図である。
【図５】数回に渡り清掃部材により清掃済みで、かつ最後の清掃動作から６００ｍｉｎ以上使用されたローラにおける研磨能力の比較例を示す図である。
【図６】本実施例における画像形成装置断面の模式図である。
【図７】本実施例における定着装置の断面模式図である。
【図８】本実施例における定着装置が有する摺擦部材の例を示す。
【図９】摺擦部材と定着ベルト表面を表した図である。
【図１０】摺擦部材である研磨ローラを図示したものである。
【図１１】定着ベルトへの研磨ローラの食い込み量ｄｋ(＞0)を示す図である。
【図１２】摺擦部材と清掃部材を表した図である。
【発明を実施するための形態】
【００１３】
以下に添付図面を参照して、本発明にかかる定着装置、画像形成装置の実施の形態を詳細に説明する。まず、詳細な説明に入る前に、従来技術との違いについて説明する。
【００１４】
従来における摺擦ローラと本実施例における摺擦ローラとにおいて、新品と５Ｈ使用品 (経時品) の摺擦能力を比較した様子を図１に示す。図１は、従来における摺擦ローラと本実施例における摺擦ローラとのそれぞれにおいて、新品と経時品で定着部材上(本実施例では定着ベルト)の用紙エッジ通過部と通紙部の表面粗さの差(ΔSz)が狙いの粗さとなるまでにかかる摺擦時間を比較したものである。図１に示すように、ベルト上の用紙エッジ通過部と通紙部の表面粗さの差(ΔSz)が狙いの粗さとなるまでにかかる摺擦時間は、本実施例における摺擦ローラのほうが、従来品に比べて、新品と使用品での差が少なくなっていることがわかる。これは、本実施例における摺擦ローラが従来品に比べて目詰まりしにくくなったことにより、摺擦能力が経時品においても落ちにくくなったためである。
【００１５】
また、本実施例の摺擦ローラを定着ベルトの軸方向に対して一定時間揺動させながら研磨させた場合の揺動の幅とベルト表面粗さには図２のような相関がある。図２に示すように、摺擦ローラの揺幅と表面粗さの関係では、摺擦の際、一定の揺動幅を持たせた方がベルト表面粗さの回復が早くなることがわかる。さらに、摺擦動作の際に発生するスジ状の摺擦傷レベルについても、一定時間揺動させながら研磨させた場合の幅との間に図３のような相関がある。図３に示すように、スジ状の傷レベルと摺擦ローラの揺動幅の関係では、揺動幅が広くなるにつれて傷ランクがよくなることがわかる。
【００１６】
また、本実施例における摺擦ローラが清掃部材を備えた機構を有している場合と、上記機構を有していない場合とにおける摺擦ローラの寿命を比較したものを図４に示す。図４では、従来の摺擦ローラ(砥粒品)の寿命を含めて図示しており、一例として、可動式の吸引部材を清掃部材に用いている。なお、ここでの寿命とは、規定の時間で目標とする画像レベルまで回復することが可能な摺擦性能を保持しているローラの使用時間のことである。
【００１７】
図４に示すように、従来の摺擦ローラと比べて本実施例の摺擦ローラの寿命は倍近く伸びている。さらに、本実施例の摺擦ローラに清掃部材を取り付けた機構では、その数倍近く延びていることがわかる。これは、金属部材に付着した研磨屑を取り除くことで、研磨性能が回復したためである。
【００１８】
また、図５に、数回に渡り清掃部材により清掃済みで、かつ最後の清掃動作から６００ｍｉｎ以上使用されたローラ(＝経時品とする)における研磨能力の比較例を示す。図５では、従来の摺擦ローラと本実施例における摺擦ローラのそれぞれについて、新品と経時品とで、定着部材上(本実施例では定着ベルト)の用紙エッジ通過部と通紙部の表面粗さの差(ΔSz)が狙いの粗さとなるまでにかかる摺擦時間を比較したものである。図５に示すように、従来の摺擦ローラでの摺擦時間が、本実施例の摺擦ローラよりも長くなっていることがわかる。これは、従来の摺擦ローラでは、清掃の際に砥粒までも清掃され表層から剥がれてしまうため、それにより寿命が低下するという副作用が生じるためである。一方、本実施例の摺擦ローラは金属による構成のため、上記のような副作用は小さく、新品状態に近い研磨能力まで回復させることができる。従って、この清掃部材を取り付けることで、寿命をさらに長寿命化させることができる。このため、寿命に到達する度に必要であった研磨ローラの交換を減らすことができる。その結果、上記交換に伴うマシンダウンによってユーザに対する利便性が低下することを軽減することができ、ユーザ自身で交換の必要のある構成の場合、その手間を省くことができる。
【００１９】
図６に、本実施例における画像形成装置２００断面の模式図を示す。図６に示す画像形成装置２００は、装置本体中央部に位置する画像形成部２００Ａと、該画像形成部の下方に位置する給紙部２００Ｂと、画像形成部の上方に位置する図示しない画像読取部を有する高速機である。画像形成部には、水平方向に延びる転写面を有する中間転写ベルト２１３が配置されており、該中間転写定着ベルトの上面には、色分解色と補色関係にある色の画像を形成するための構成が設けられている。すなわち、補色関係にある色のトナー（イエロー、マゼンタ、シアン、ブラック）による像を担持可能な像担持体としての感光体２０５Ｙ、２０５Ｍ、２０５Ｃ、２０５Ｋが中間転写ベルトの転写面に沿って並置されている。各感光体はそれぞれ同じ方向（反時計回り方向）に回転可能なドラムで構成されており、その周りには、回転過程において画像形成処理を実行する光書き込み装置２０１、帯電装置２０２Ｙ，２０２Ｍ，２０２Ｃ，２０２Ｋ、現像装置２０３Ｙ，２０３Ｍ，２０３Ｃ，２０３Ｋ、１次転写装置２０４Ｙ，２０４Ｍ，２０４Ｃ，２０４Ｋ及びクリーニング装置が配置されている。また、各現像装置には、それぞれのカラートナーが収容されている。中間転写ベルトは、駆動ローラと従動ローラに掛け回されて感光体との対峙位置において同方向に移動可能な構成を有している。また、従動ローラの１つであるローラ２１４に対向する位置に二次転写ローラ２１５が設けられている。
【００２０】
一方、給紙トレイ２２０内部に積載された記録媒体としての用紙Ｐは、ピックロール２２１によって取り出され、搬送ロール２２２によって、搬送経路Ｒ１をレジストレーションローラ２２３、及び二次転写ローラ２１５に向かう方向に搬送される。
【００２１】
本実施例における画像形成装置２００が画像を形成するに当たっては、感光体２０５Ｙの表面が帯電装置２０２Ｙにより一様に帯電され、画像読取部からの画像情報に基づいて感光体２０５Ｙ上に静電潜像が形成される。該静電潜像はイエローのトナーを収容した現像装置２０３Ｙによりトナー像として可視像化され、該トナー像は所定のバイアスが印加される１次転写装置２０４Ｙにより転写ベルト２１０上に１次転写される。他の感光体２０５Ｍ、２０５Ｃ、２０５Ｋでもトナーの色が異なるだけで同様の画像形成がなされ、それぞれの色のトナー像が中間転写ベルト上に静電気力で順に転写されて重ね合わせられる。次に、感光体から中間転写ベルト上に１次転写されたトナー像は、ローラ２１４、転写ローラ２１５により搬送されてきた用紙Ｐに転写される。
【００２２】
トナー像が転写された用紙Ｐは、さらに定着装置２０６まで搬送され、定着ベルト２０９と加圧ローラ２１０との定着ニップ部にて定着が行なわれる。定着装置は、定着ローラ２０７及び加熱ローラ２０８に一定のテンションで架け渡された第１ニップ形成部材である定着部材（定着ベルト）と、該定着部材（定着ベルト）に対して下側で回転自在に圧接し定着圧接部Ｎを形成する第２ニップ形成部材である加圧部材（加圧ローラ）とを備える。ここで定着ベルトは、無端ベルトであり、断面構造としては、例えばニッケル、ステンレス、ポリイミドなどの基材にシリコンゴム層 (300〜500μm) などの弾性層を形成した２層構造となっている。加熱ローラは、アルミ又は鉄の中空ローラで内部にハロゲンヒータなどのヒータ２０８ｈからなる熱源を有している。ついで、定着ニップ部から排出された用紙Ｐは排出経路に沿ってスタッカ２１６へ送り出される。
【００２３】
図７に、本実施例における画像形成装置が備えた定着装置２０６の断面の模式図を示す。定着装置２０６が駆動する際には、例えば定着ローラ２０７が外部から入力される駆動力によって駆動されて図中時計回り方向に回転する。定着ローラ２０７は、定着ベルト２０９を介して加圧ローラ２１０と互いに加圧されて接し、ニップ部Ｎを形成している。加圧ローラ２１０は、図中反時計周りにつれ回りされる結果、記録材が排出される方向に回転する。また、定着の際には、定着ベルト２０９は、加熱ローラ２０８内部に配置されるヒータ２０８ｈの発熱により温度検知センサ(不図示)で検出される温度が目的の温度まで加熱されたのち、所定の温度に制御される。未定着トナーを一方の面に担持した記録媒体（転写紙）は、上記のニップ部に導かれて加熱・加圧定着される。
【００２４】
また、定着装置２０６には、図７に示すように、定着部材である定着ベルト２０９の表面を摺擦することによりその表面性状を維持させる摺擦部材１０を有している。摺擦部材１０は、定着ベルト２０９に対し、所定の圧力で図示しない付勢手段によって付勢されている。 また、この例では摺擦部材１０は定着ベルト２０９の回転方向と順方向（もしくは逆方向）に、定着ベルト２０９の回転に対して線速差をつけて回転駆動されている。
【００２５】
図８に、本実施例における定着装置２０６が有する摺擦部材１０の例を示す。図８に示すように、定着装置２０６では、定着部材である定着ベルト２０９と定着部材表面を摺擦する摺擦部材１０を備えた定着装置２０６において、その摺擦部材１０は、円筒状または、円柱状であることを特徴とし、上記摺擦部材１０の周面が、砥粒を含まない金属部材から構成されているとともに、上記摺擦部材１０の回転軸を中心とした右回転螺旋溝２ａ及び左回螺旋転溝２ｂを有し、上記右回転螺旋溝２ａ及び上記左回転螺旋溝２ｂに囲まれた凸状突起２が、上記定着部材表面の表面（摺擦部材１０との接触面である表側の面）に面接触される頂面を有して構成されていることを特徴とし、さらに上記摺擦部材１０は、上記定着部材表面の回転軸方向に対して、揺動して摺擦動作を行う。
【００２６】
従来技術で知られている摺動部材は、表層が粒子(砥粒)で構成されたローラがあるが、このようなローラは、摺擦した際に研磨屑が発生し、ローラ表層に目詰まりが発生してしまう。一方、本実施例における摺擦部材１０は、金属材料から構成されており、摺動部材の表面に、摺擦部材の回転軸を中心とした右回転螺旋溝２ａ、及び左回転螺旋溝２ｂを有し、右回転螺旋溝２ａ及び左回転螺旋溝２ｂに囲まれた凸状突起２が、定着部材の表面に面接触される頂面を有して構成されている。
【００２７】
図９は、摺擦部材１０と定着ベルト２０９表面を表した図である。本例では摺擦部材１０として摺擦ローラである研磨ローラを例に説明している。研磨ローラは、定着ベルト２０９に対して当接し、定着ベルト２０９と研磨ローラとが所定の周速差で摺擦することで研磨動作を行う。本実施例では、定着ベルト２０９の表面線速に対して、研磨ローラの線速を３倍速い線速で摺擦させる。また、本実施例における摺動部材１０は、上記動作に加えて定着部材表面(定着ローラ、定着ベルト等)の軸方向Ｘに揺動して摺擦動作を行うことを特徴としている。揺動のさせ方については、公知の数々の手段、構成等を採用すればよい。
【００２８】
また、図１０は、摺擦部材１０である研磨ローラを図示したものである。図１０中、ｄｔ(＞0)は、研磨ローラの軸方向の中央部Ｙと軸方向の端部Ｚとにおける外径の差を表したものである。図１０に示すように、摺擦部材１０は、通紙領域の中央部Ｙに対する外径が通紙領域の端部Ｚの領域に対する外径よりも小径となっている。これは、研磨ローラの上記端部Ｚの定着ベルト２０９への押圧を強くすることで、より定着ベルト２０９の上記中央部Ｙよりも、上記端部Ｚへの押圧、接触面積を得るためである。定着ベルト２０９上における最小サイズ幅以下の位置には用紙エッジが起因する光沢スジは発生しないため、より端部において、均一に必要な押圧分布を得ることが必要である。さらに、図１０では、研磨ローラを定着ベルト２０９に当接させるための圧縮バネ１１を設けている。このバネ長を調整することで、研磨ローラの定着ベルト２０９に対する当接圧を調整することができる。すなわち、図１１に示すように、定着ベルト２０９への研磨ローラの食い込み量ｄｋ(＞0)を調整する。
【００２９】
また、定着装置２０６では、上記摺擦部材の上記定着部材への食い込み量ｄｋは、用紙の種類、例えば、異なる銘柄の用紙は材質が異なることから、用紙銘柄の通紙枚数に応じて変更することも可能である。用紙銘柄に応じて、用紙エッジ傷が起因した光沢スジのレベルは大きく変わってくる。そのひとつの原因は、用紙エッジのバリにより、ベルトへ与えるダメージが大きく変わるためである。また、上記摺擦部材と上記定着部材への食い込み量ｄｋによって、摺擦部材の摺擦能力は変化する。食い込み量が大きくなるほど、ベルトを深く削ることができ、用紙エッジバリの立っているような用紙銘柄を通紙された際のベルトへの深くついたダメージを回復させるには、ｄｋを大きくすることが有効である。
【００３０】
また、通紙枚数によってもベルトへのダメージが変わり、通紙枚数が増えるほど定着ベルト２０９へのダメージは大きくなる。従って、通紙銘柄とその通紙枚数に応じて、食い込み量ｄｋを変化させることは有効となる。ただし、食い込み量ｄｋが大きくなるほど、ベルトを深く削ることになり、ベルトの寿命を短くさせてしまうこととなる。従って、食い込み量ｄｋの変更量については、その銘柄に応じて変化させることで、ベルト寿命に対しても不利とならないようにすることが必要である。表１は、通紙銘柄と通紙枚数に応じて、３段階に食い込み量ｄｋが制御される例について示している。
【００３１】
【表１】
2017219674.tif 000003
【００３２】
表１に示すように、通紙銘柄aは、用紙エッジのバリが比較的立っていないような用紙である。この銘柄は、ベルトへのダメージが少ないため、通紙枚数が増えても、食い込み量ｄｋを増やすことなく摺擦することができる。したがって、通紙枚数≦３ＫＰ（３０００枚）、３ＫＰ＜通紙枚数≦６ＫＰ（６０００枚）、６ＫＰ＜通紙枚数のいずれの場合も、上記食い込み量ｄｋを同じ値（０．１ｍｍ）としている。また、銘柄ｃの用紙は、用紙エッジのバリが銘柄ａよりも比較的立っており、ベルトへ与えるダメージが大きい紙である。このような用紙は、通紙枚数が増えていくにつれて、ベルトへのダメージも増えるため、通紙枚数に応じてｄｋも増やしていくことで、摺摩能力を上げることが必要となる。このため、表１に示すように、通紙枚数が増えるほど、上記食い込み量ｄｋの値を大きく設定している。銘柄ｂの用紙は、上記銘柄ａの用紙と銘柄ｃの用紙との中間程度で用紙エッジのバリが立っている用紙である。したがって、表１に示すように、ある通紙枚数までは上記食い込み量ｄｋを同じ値とする一方、一定以上の通紙枚数では上記食い込み量ｄｋの値を大きく設定している。
【００３３】
さらに、定着装置２０６では、上記摺擦部材１０の上記定着ベルト２０９への食い込み量ｄｋは、用紙銘柄の通紙枚数に応じて一度の研磨動作中に数段階に変更されることが望ましい。食い込み量ｄｋを大きくすると、摺擦部材１０による上記定着ベルト２０９への食い込み量が大きくなることにより、摺擦動作によるスジが発生することがある。例えば、本実施例におけるｄｋの最大値は０．３５ｍｍとしているが、このレベルであれば摺擦動作によるスジは軽微である。しかし、高速機のようなより高画質を求めるユーザにとっては、例え軽微であっても許容できないような場合がある。そこで、一度の摺擦動作において、食い込み量ｄｋを数段階で変更することによって、摺動動作によるスジを発生させなくさせることが可能となる。表２は、表１の用紙銘柄ｃにおいて通紙枚数毎に２段階の研磨時間で上記食い込み量ｄｋを変更する制御の例を示している。以下に示すように、摺擦部材１０の定着ベルト２０９への食い込み量は、用紙の種類および通紙枚数に応じて一度の研磨動作中に数段階に変更される。
【００３４】
【表２】
2017219674.tif 000004
【００３５】
表２に示すように、通紙銘柄cのような用紙エッジのバリが比較的立っており、ベルトへ与えるダメージが大きい紙においては、まず上記食い込み量ｄｋを大きくし、食い込み量を増やした状態で摺動動作を行いベルト上の用紙エッジによる傷を回復させる。その後、摺擦動作によって発生したスジを、食い込み量ｄｋを減らした状態でベルト表面をならすことで、ベルト表面粗さを均一にし、用紙エッジによる研磨スジ、摺動動作によって発生したスジを発生させないようにする。表２では、例えば、通紙枚数≦６ＫＰの場合、研磨時間が６０ｓｅｃまでは、上記食い込み量ｄｋを０．３ｍｍに設定し、研磨時間がさらに１２０ｓｅｃまでは、それよりも小さい０．１ｍｍに設定していることがわかる。
【００３６】
さらに、定着装置２０６は、上記摺擦部材表面を清掃する部材を備えていることが望ましく、その清掃部材が上記摺擦部材の軸方向に対してスライドし清掃動作を行うことができる。
【００３７】
図１２は、上記摺擦部材１０と清掃部材２０を表した図である。清掃部材２０は、不図示の駆動部により、図中の摺擦部材１０の軸方向Ｘ’に動くように設置されている。本実施例で示す清掃部材２０は吸引式の清掃部材であり、摺擦部材表層に付着した研磨粉を軸方向に移動しながら吸引することでローラ表層を清掃し、目詰まりを解消する。ここでは、吸引式の清掃部材を例としたが、清掃手段としては、広知の数々の手段、構成等を採用すればよい。
【００３８】
また、本実施例における吸引式の清掃部材を使用して、従来の研磨ローラの清掃を行った場合、ローラ表層の砥粒まで吸引されてしまうことがあり、それにより研磨性能が低下するという不具合が発生する。また、他の清掃方式においても、表層の砥粒が剥がれるという不具合が生じる場合がある。一方、本実施例における研磨ローラは、表層が金属であるために、清掃動作による表層劣化のリスクが小さい。
【００３９】
さらに、定着装置２０６では、上記摺擦部材の稼動時間(＝Ｔ)が特定の閾値(＝Ｔ１)を超えた場合に、上記清掃部材による清掃動作を開始する。表３は、各時点における摺擦部材の稼動時間を示したものである。表３において、閾値(＝Ｔ１)を２５０ｍｉｎとすると、（１）はＴ１に達していないため、清掃動作を行わない。（２）、（３）に関しては、Ｔ１を超えているため、清掃動作が実行される。
【００４０】
【表３】
2017219674.tif 000005
【００４１】
また、本実施例における定着装置２０６は、上記清掃動作における閾値(＝Ｔ１)が、摺擦部材の寿命時間を閾値としたモードとすることもできる。以下に示すように、清掃動作における閾値は、摺擦部材１０の寿命時間に基づいて定めることができる。表４は、各時点における摺擦部材の稼動時間を示したものである。Ｔ１＝８００ｍｉｎとした場合、（４）、（５）はＴ１に達していないため、清掃動作を行わない。（３）に関しては、Ｔ１を超えているため、清掃動作が実行される。この場合、定着装置２０６は、印刷動作中に動作が停止し、生産性が落ちることを気にするユーザにとって有効なモードとなる。
【００４２】
さらに、本実施例における定着装置２０６は、上記清掃動作における閾値(＝Ｔ１)が、摺擦部材の寿命時間よりも少ない時間に設定されたモードとすることもできる。Ｔ１＝２００ｍｉｎとした場合、表４において、（４）はＴ１に達していないため、清掃動作を行わない。（５）、（６）に関しては、Ｔ１に達しているため、清掃動作が実行される。この場合、定着装置２０６は、生産性は落ちるが、常に高画質の画像を望むユーザにとって有効なモードである。
【００４３】
【表４】
2017219674.tif 000006
【００４４】
なお、本実施例に示した構成については、その一部または全部を適宜組み合わせて実施することが可能である。例えば、上記表１〜表４に示した設定については、画像形成装置２００や定着装置２０６の使用環境に応じて取捨選択したうえで設定してもよい。
【００４５】
このように、本実施例では、用紙エッジ部のバリが不利な用紙が通紙されたとき、定着部材表面に用紙エッジにより発生するスジ状の傷が起因して発生する光沢スジ画像を軽減させるため、摺動部材で摺擦動作を実行する際に、例えば、従来技術で知られている砥粒で構成された摺擦部材により発生する目詰まりを軽減させるため、砥粒を含まない金属部材から構成され、左記金属部材から構成された摺擦部材の軸を中心とした右回転螺旋溝及び左回転螺旋溝を有し、前期右回転螺旋溝及び左回転螺旋溝に囲まれた凸状突起が、定着部材表面に面接触される頂面を有して構成されている摺擦部材を用いて、定着部材の軸方向に対して揺動して摺擦を行うことで、用紙エッジに起因する光沢スジ、摺擦動作の際に発生する摺擦傷を軽減させることが特徴になっている。また、上記動作の際に、さらに摺擦部材を清掃するための清掃部材を搭載させることにより、より長寿命の摺擦部材を提供することができる。
【００４６】
すなわち、用紙エッジバリの厳しい記録材や、特殊な記録材を通紙された際、定着装置において通紙される場合に生じる加速的な用紙エッジスジの異常画像障害を解決することができる。さらに、摺擦する際に発生する研磨屑を低減させることにより、摺擦部材の寿命を長寿命化し、摺擦動作により形成されるスジ状の異常画像を解決することができる。
【符号の説明】
【００４７】
２００        画像形成装置
２０６        定着装置
２０７        定着ローラ
２０８        加熱ローラ
２０８ｈ      ヒータ
２０９        定着ベルト
２１０        加圧ローラ
Ｎ            ニップ部
１０          摺擦部材
２            凸状突起
２ａ          右回転螺旋溝
２ｂ          左回転螺旋溝
１１          圧縮バネ
２０          清掃部材
【先行技術文献】
【特許文献】
【００４８】
【特許文献１】特開2015-138099号公報
【図１】
2017219674.tif 000007
【図２】
2017219674.tif 000008
【図３】
2017219674.tif 000009
【図４】
2017219674.tif 000010
【図５】
2017219674.tif 000011
【図６】
2017219674.tif 000012
【図７】
2017219674.tif 000013
【図８】
2017219674.tif 000014
【図９】
2017219674.tif 000015
【図１０】
2017219674.tif 000016
【図１１】
2017219674.tif 000017
【図１２】
2017219674.tif 000018